(57)【要約】【課題】折り畳み式携帯電話を折り畳んだ状態のときマイク、スピーカ等を外部の適正な位置に配置しこの折り畳んだ状態で使用できるようにする。【解決手段】操作部本体３に表示部本体５をヒンジ機構７により折り畳み自在に備えた折り畳み式携帯電話１を折り畳んだ状態で使用できるように、第２スピーカ１５を所定の位置に配置し、切り替えスイッチにより折り畳み時にＯＮ状態にする。さらに、マイク部、電源ＯＮボタン、電源ＯＦＦボタン等の機能を折り畳んだ状態での露出部に設置することにより、折り畳んだ状態で電話の発信等を行えるようにする。【選択図】　　　図１
2004056188.tif 000002
【特許請求の範囲】
【請求項１】
操作部本体に、表示部本体をヒンジ機構により開閉自在に備えた折り畳み式携帯電話において、
受信した音声信号から音声を発生させる第１スピーカを、前記折り畳み式携帯電話を開いた状態において使用するとき使用上適正な所定の位置である第１スピーカ使用位置に設け、
受信した音声信号から音声を発生させる第２スピーカを、前記折り畳み式携帯電話を折り畳んだ状態において使用するとき使用上適正な所定の位置である第２スピーカ使用位置に設け、
使用者の音声を受信するマイク部を前記折り畳み式携帯電話を折り畳んだ状態と、開いた状態において使用するとき共に使用上適正な所定の位置であるマイク使用位置に設けたことを特徴とする折り畳み式携帯電話。
【請求項２】
前記折り畳み式携帯電話を折り畳んだとき、前記第１スピーカをオフ状態にするとともに、前記第２スピーカをオン状態にし、
前記折り畳み式携帯電話を開いたとき、前記第１スピーカをオン状態にするとともに、前記第２スピーカをオフ状態にする切り替えスイッチを設けたことを特徴とする請求項１記載の折り畳み式携帯電話。
【請求項３】
前記表示部本体の長手方向の距離より、前記操作部本体の長手方向の距離を長くし、前記折り畳み式携帯電話を折り畳んだとき前記操作部本体に備えられる重ならない部分である露出部に操作機能を設けたことを特徴とする請求項１又は２記載の折り畳み式携帯電話。
【請求項４】
前記露出部にマイク部、電源ＯＮボタン、電源ＯＦＦボタン、着信履歴呼び出し部、発信履歴呼び出し部、及び検索部を配置し、前記表示部本体の背面側に第２スピーカを配置することを特徴とする請求項１、２又は３記載の折り畳み式携帯電話。
【発明の詳細な説明】
【０００１】
【発明の属する技術分野】
この発明は、折り畳み式携帯電話に関し、特に折り畳んだ状態と、開いた状態とにおいて使用できるようにスピーカ、マイク、電源ＯＮ／ＯＦＦボタン、着信表示部等の機能を所定位置に配置した折り畳み式携帯電話に関する。
【０００２】
【従来の技術】
従来の折り畳み式携帯電話は、開いた状態のときのみ使用（例えば、通話）が可能な様に設計されており、折り畳んだ状態のままでは使用出来ない。すなわち、携帯電話を折り畳んだときにはマイク、スピーカ等が折り畳まれた内部に隠れていた。
【０００３】
【発明が解決しようとする課題】
ところで、従来の折り畳み式携帯電話においては、折り畳んだ状態では通話ができないので不便であるという課題があった。すなわち、携帯電話は通常使用者本人が携帯しているので、その使用の際の場所、時間等が限定されない。例えば、歩行中に電話が掛かってきたとき等は、折り畳んである携帯電話を開くには不便であるという問題があった。また、狭い場所等で折り畳み式携帯電話を通話する際に開くのも不便であるという問題があった。
【０００４】
【課題を解決するための手段】
上記目的を達成するために、請求項１に係る発明は、操作部本体に、表示部本体をヒンジ機構により開閉自在に備えた折り畳み式携帯電話において、
受信した音声信号から音声を発生させる第１スピーカを、前記折り畳み式携帯電話を開いた状態において使用するとき使用上適正な所定の位置である第１スピーカ使用位置に設け、
受信した音声信号から音声を発生させる第２スピーカを、前記折り畳み式携帯電話を折り畳んだ状態において使用するとき使用上適正な所定の位置である第２スピーカ使用位置に設け、
使用者の音声を受信するマイク部を前記折り畳み式携帯電話を折り畳んだ状態と開いた状態において使用するとき共に使用上適正な所定の位置であるマイク使用位置に設けた折り畳み式携帯電話である。
【０００５】
請求項２に係る発明は、前記折り畳み式携帯電話を折り畳んだとき、前記第１スピーカをオフ状態にするとともに、前記第２スピーカをオン状態にし、
前記折り畳み式携帯電話を開いたとき、前記第１スピーカをオン状態にするとともに、前記第２スピーカをオフ状態にする切り替えスイッチを設けた上記折り畳み式携帯電話である。これにより、自動で切り替えが行える。
【０００６】
請求項３に係る発明は、前記表示部本体の長手方向の距離より、前記操作部本体の長手方向の距離を長くし、前記折り畳み式携帯電話を折り畳んだとき前記操作部本体に備えられる重ならない部分である露出部に操作機能を設けた上記折り畳み式携帯電話である。これにより、露出部に操作機能を配置でき折り畳んだ状態で使用できる。
【０００７】
請求項４に係る発明は、前記露出部にマイク部、電源ＯＮボタン、電源ＯＦＦボタン、着信履歴呼び出し部、発信履歴呼び出し部、及び検索部を配置し、前記表示部本体の背面側に第２スピーカを配置する上記折り畳み式携帯電話である。
【０００８】
【発明の実施の形態】
以下、この発明の実施の形態について図面を参照して説明する。
【０００９】
図１は、本例に係る折り畳み式携帯電話１の折り畳んだ状態の斜視図である。前記折り畳み式携帯電話１は携帯電話の使用者が操作を行う操作部本体３と、表示部２３を設けた表示部本体５とがヒンジ機構７により一体的に折り畳み自在に構成されている。なお、本例で折り畳み式携帯電話というときはヒンジ機能により折り畳んだり開いたりする携帯電話をいう。
【００１０】
前記折り畳み式携帯電話１は、折り畳んだ状態で操作部本体３と表示部本体５との重ならない部分である露出部を有している。すなわち、前記操作部本体３の長手方向の距離ＤＡは、前記表示部本体５の長手方向の距離ＤＢより長く設計されている（これは、前記表示部本体５の長手方向の距離ＤＢは、前記操作部本体３の長手方向の距離ＤＡより短く設計されていることと同一である）。
【００１１】
これにより、露出部ＤＣを前記操作部本体３に有する。そして、折り畳んだ状態でも操作機能等を前記露出部ＤＣに配置することができ、折り畳んだ状態で携帯電話の使用を行うことができる。
【００１２】
そして、この露出部ＤＣには使用者の音声を受信するマイク部９と、携帯電話を使用可にする電源ＯＮボタン１１と、携帯電話の使用を不可にする電源ＯＦＦボタン１３とが設けられている。また、前記表示部本体５の背面側（折り畳んだ状態で外に露出する側）には第２スピーカ１５が備えられている。さらにこの面には着信した相手側の情報（例えば、電話番号）を表示する着信表示部１７が備えられている。これにより、携帯電話を折り畳んだ状態でも携帯電話の使用が可能になり受信した相手の情報も知ることができる。
【００１３】
図２は前記折り畳み式携帯電話１を開いた状態の斜視図である。すなわち、操作部本体３と、表示部本体５とを折り畳んだ状態から矢印ＡＲ１方向に開いた状態の斜視図である。前記操作部本体３には操作ボタン配置エリア１９が備えられている。前記操作ボタン配置エリア１９には各種の操作ボタンが複数配置されている。また、前記操作部本体３は切り替えスイッチ２１を備えている。
【００１４】
前記表示部本体５は表示部２３を備えている。また、第１スピーカ２５を前記表示部２３の上側に備えている。これにより、開いた状態での通常の携帯電話の使用ができる。
【００１５】
図３を参照する。折り畳み式携帯電話１を折り畳んだ状態と、開いた状態で第１スピーカ２５と第２スピーカ１５とのＯＮ／ＯＦＦを切り替える切り替えスイッチ２１の機能を示す。
【００１６】
操作部本体３と、表示部本体５とを矢印ＡＲ２方向に折り畳むことにより（または、逆に操作部本体３と表示部本体５とを開くことにより）前記切り替えスイッチ２１は矢印ＡＲ３方向に上下し、第１スピーカ２５と、第２スピーカ１５との電源の切り替えを行う。すなわち、この折り畳み式携帯電話１を開いた状態では切り替えスイッチ２１は切り替えスイッチ押下エリア２７に押下されないので第１スピーカ２５に電源が供給される。そして、折り畳んだ状態では切り替えスイッチ押下エリア２７により前記切り替えスイッチ２１が押下され前記第１スピーカ２５がＯＦＦ状態になり前記第２スピーカ１５がＯＮ状態に切り替えられる。
【００１７】
図４を参照する。前記切り替えスイッチ２１の回路図を示す。電源部２９により供給される電圧はアンプ部３１により増幅される。これにより、スピーカの音量等の調節を行うことができる。切り替えスイッチ回路３３は端子３３ａと、端子３３ｂと、端子３３ｃとを備えている。そして、折り畳み式携帯電話１が開いた状態のとき（すなわち、切り替えスイッチ２１がフリーの状態のとき）は、接続端子３３ｄが端子３３ａと端子３３ｂとを接続する。これにより、第１スピーカ回路３５に電力が供給され第１スピーカ回路３５（すなわち、第１スピーカ２５）が作動する。
【００１８】
前記折り畳み式携帯電話１が閉じた状態のとき（すなわち、切り替えスイッチ２１が切り替えスイッチ押下エリア２７に押下された状態のとき）前記端子３３ａと前記端子３３ｃとが前記接続端子３３ｄにより接続されるこれにより、第２スピーカ回路３７に電力が供給され第２スピーカ回路３７（すなわち、第２スピーカ１５）が作動する。これにより、第１スピーカ２５がＯＮ状態になると、第２スピーカ１５がＯＦＦ状態になり、第１スピーカ２５がＯＦＦ状態になると、第２スピーカ１５がＯＮ状態になる。
【００１９】
図５は前記折り畳み式携帯電話１の露出部ＤＣに着信した情報の操作を行う着信履歴呼び出し部３９と、発信した情報の操作を行う発信履歴呼び出し部４１と、記憶されている情報の検索等を行う検索部４３とを設けた場合を示している。これにより、電話の着信、発信等を折り畳んだままで行うことができる。
【００２０】
図６に、図５において説明した機能の回路図を示す。着信部４５に着信した情報（例えば電話番号等）は表示窓５１（図５においては着信表示部１７に該当する）に表示されるとともにアドレス情報メモリ４７に記憶される。これにより、着信した相手先のアドレス情報を履歴として蓄積することができる。
【００２１】
一方、入力部４９からキー入力した電話番号等もアドレス情報メモリ４７に記憶される。そして、携帯電話の使用者が相手先に電話を掛ける際には前記アドレス情報メモリ４７に記憶されているアドレス情報を検索して電話の発信を行う。すなわち、検索部５３（図５においては検索部４３に該当する）はアドレス情報メモリ４７か所定のアドレス情報を検索して検索データメモリ５５に記憶するとともに表示窓５１に表示する。続いて、発信部５７に備えられたボタンを押下することにより発信が行われる。これにより、折り畳み式携帯電話１を閉じたままでも電話の応答、発信等が可能になる。このとき、着信履歴呼び出し部３９を選択する（例えば、ボタンを押下する）と着信情報の検索を行うことができる。また、発信履歴呼び出し部４１を選択する（例えば、ボタンを押下する）ことにより発信情報の検索を行うことができる。
【００２２】
なお、この発明は前述した実施の形態に限定されることなく、適宜な変更を行うことによりその他の態様で実施し得るものである。
【００２３】
【発明の効果】
以上のごとき発明の実施の形態の説明から理解されるように、折り畳み式携帯電話において、折り畳んだままの状態で使用できるので使用の状態（例えば、歩行中、狭い場所での使用等）に影響されないため便利であるという効果がある。
【００２４】
さらに、露出部に多数の操作機能を配置することができるため、この折り畳み式携帯電話を閉じた状態で着信履歴、発信履歴等の情報を検索してこの情報に基づき相手方に電話を掛けることができるという効果がある。
【図面の簡単な説明】
【図１】折り畳み式携帯電話の閉じた状態の斜視図である。
【図２】折り畳み式携帯電話の開いた状態の斜視図である。
【図３】切り替えスイッチを説明する説明図である。
【図４】切り替えスイッチの回路を説明する説明図である。
【図５】露出部に配置された機能を説明する説明図である。
【図６】検索機能の回路を説明する説明図である。
【符号の説明】
１　折り畳み式携帯電話
３　操作部本体
５　表示部本体
７　ヒンジ機構
９　マイク部
１１　電源ＯＮボタン
１３　電源ＯＦＦボタン
１５　第２スピーカ
１７　着信表示部
【図１】
2004056188.tif 000003
【図２】
2004056188.tif 000004
【図３】
2004056188.tif 000005
【図４】
2004056188.tif 000006
【図５】
2004056188.tif 000007
【図６】
2004056188.tif 000008